(57)【特許請求の範囲】
【請求項１】
沈澱池等の処理池の水面下に位置する板状の底壁と同底壁より水面近くまで垂直状に立ち上がって対向状をなす板状の側壁とでなる角樋型をした排水路部と、同排水路部の各側壁上端から一体板状をなして水面上まで立ち上がる越流堰部とでなり次の排水連通路に連通して構成されている越流堰本体を有し、前記越流堰部の上端は、水面を境に上下に位置するＶノッチとされている越流堰装置において、前記Ｖノッチ付き越流堰部は、各側壁からＶノッチの底溝高さまで立ち上がる下部斜面板部とＶノッチの形成された上部斜面板部とでなっていて各側壁から排水路部の内部に傾くように斜めに立ち上がっていることを特徴とする越流堰装置。
【発明の詳細な説明】
【０００１】
【発明の属する技術分野】
この発明は、沈澱池等の処理池の水面付近から清澄水を誘引・導出するための越流堰装置に関する。
【０００２】
【従来の技術】
例えば、沈澱池においては、導入した汚水から汚泥を沈澱させる一方浮上するスカムを除去するようにしているが、その下流側では越流堰装置を構成し、同装置を通じて清澄水を誘引・導出するようにしている。
【０００３】
【発明が解決しようとする課題】
ところで、越流堰装置は高さが一定に設定されていたため、事後的に水位変動があった場合にはこれに対処し得ない不利があった。
また一方、これまでの越流堰装置は、処理池の清澄水が越流堰を直接越えて流れ込むように構成されていたため、誘引・導出する清澄水の清澄度が今一つ低く、河川に戻すにも適切でないこともあった。
【０００４】
この発明は前記課題を解決するためになされたもので、水位変動に対応し得る構造であるとともに、清澄度の高い水を回収して河川等に放流することもできるようにした越流堰装置を提供することを目的とする。
【０００５】
【課題を解決するための手段】
前記課題を解決するため、請求項１記載の発明は、沈澱池等の処理池の水面下に位置する板状の底壁と同底壁より水面近くまで垂直状に立ち上がって対向状をなす板状の側壁とでなる角樋型をした排水路部と、同排水路部の各側壁上端から一体板状をなして水面上まで立ち上がる越流堰部とでなり次の排水連通路に連通して構成されている越流堰本体を有し、前記越流堰部の上端は、水面を境に上下に位置するＶノッチとされている越流堰装置において、前記Ｖノッチ付き越流堰部は、各側壁からＶノッチの底溝高さまで立ち上がる下部斜面板部とＶノッチの形成された上部斜面板部とでなっていて各側壁から排水路部の内部に傾くように斜めに立ち上がっていることを特徴とする。
【０００６】
【実施形態】
以下、この発明を好適な実施形態を参照しながら詳細に説明する。
【０００７】
図１及び図２は、この発明の一実施形態を示し、矩形である最初あるいは最終沈澱池についての実施形態である。
【０００８】
同実施形態において、１は沈澱池の端壁で、同端壁１には排水連通路である排水連通管２が挿通固定されている。
【０００９】
同排水連通管２は、図２の左右に対応する方向に複数列配されている。
【００１０】
排水連通管２の沈澱池内に対応する端部には、固定フランジ３が固着され、同フランジ３には、溶接等により止着具の一方であるボルト４…が複数個固着されている。
【００１１】
沈澱池の幅方向には１本あるいは複数本の支持梁６が横設され、同支持梁６には、止着具７により上下調節可能にした一対のステー８により越流堰本体１１が吊持支持されている。止着具７は、Ｕボルトのようにステー８に上下調節を許すものがよい。越流堰本体１１は排水路部９と越流堰部１０とでなる。排水路部９は、底壁とそれより垂直状に立ち上がり対向状をなす側壁とでなり、水面下に位置している。同排水路部９は、四角な樋状でステンレス板や銅板、プラスチック板等で一体折り曲げ板状に形成される。越流堰部１０は、各側壁より立ち上がり、その上部には排水路部９内に向いて斜めの面となるように横断面上においてハの字になる形の越流堰部１０が水面下から水面上に立ち上がるように一体に形成されている。越流堰部１０の下部は、下部斜面板部とされ、その上部はＶノッチが形成された上部斜面板部とされている。Ｖノッチは水面を境に上下に位置してその切り欠き溝を通じて越流を呑み込むようになっている。尚、前記上部・下部両斜面板部は１つの面を形成する。また、Ｖノッチの下端である切り欠き溝の溝底は、図２に示すように、排水路部９内に斜め下がりに向く溝形状になっている。排水路部９の図１の左端の部分は通常のように閉止状になっている。ステー８は、図１の左の側にも配してもよい。
【００１２】
越流堰部１０付き排水路部９の図１右端部には、図２のように上下調節可能なように長孔１２を備えた矩形の可動フランジ１３が設けられており、同可動フランジ１３は、ボルト４…に長孔１２…を対応させるとともにナット１４…を止め付けることで上下調節可能に固定されている。
【００１３】
固定フランジ３の上部裏側からは、左右１対あるいは１枚のＬ形の調節受板１６が突設される一方、可動フランジ１３側の上部には、固定ナット１７が固着されている。固定ナット１７にねじ込まれた調節軸１８はそれぞれ調節受板１６の孔を通して上へ伸び、同軸１８に調節ナット１９を備え付けてある。
【００１４】
２１は水面であり、越流堰装置設置後にこの水面２１が変位してくると、ナット１４…を緩めるとともに調節ナット１９を回すことにより可動フランジ１３を介して越流堰部１０付き排水路部９を高さ調節することで越流堰部１０の高さを水面２１に対し好適に合わすことができる。
【００１５】
図３は他の実施形態を示す。
越流堰装置の本体１１は前記実施形態と同様の一体構造のものである。従来のようなコンクリート製のものでもよい。この本体１１の両外側には、一定に離間して縦向きのバッフル２３が対向して配されている。本体１１と各バッフル２３間には、浄水化手段２４が交換自在に充愼されている。同浄水化手段２４は更に下方に備えてもよい。これらの浄水化手段２４は、活性炭、麦飯石、多孔質セラミック等を適当に選択する。尚、浄水化手段２４は網や多孔板等の収納部２５内に入れるようになっている。仮想線のように更に浄水化手段２４を構成してもよい。
【００１６】
図４も他の実施形態を示す。この本体２７は、沈澱池の側壁等にコンクリート一体型に設けられたもので別体の越流堰２８を備えている。この本体２７の外側にはバッフル２９が設けられ、同バッフル２９と本体２７との間には浄水化手段２４が設けられ、収納部２５で交換自在にもなっている。この場合の本体２７は図１ないし図３に示す一体型の本体でもよい。
【００１７】
図５も他の実施形態を示す。同図の本体３１は図４で示す一体型本体２７の右方に設けられているもので、この場合も同様にバッフル２９内に浄水化手段２４が設けられている。その下方にも浄水化手段２４が追加的に設けられている。
【００１８】
図６も他の実施形態を示す。同実施形態は、一体型の本体３５の外面である排水路部３６および越流堰部３７の外面を清掃する洗浄装置３８を往復運動可能に設けたものであり、同装置３８は、装置機体３９に備えた駆動源（ソーラー駆動も可能）によりチェーン４０を介して回転駆動される走行輪４１…を備え、この走行輪４１…が本体３５の底上面に添って進退するようになっている。走行輪４１…は前後に配される。機体３９からはブラシ取付板４２が伸び、同取付板４２に備えたブラシ４３が前記外面に接触するようになっている。このブラシ４３は進退する方向に前後をなして設けられている。同ブラシ４３は本体３５内を洗浄するようにしてもよい。また、こうした洗浄装置３８が走行することから、本体３５のステー４４は本体３５の底面に回るように装着されている。尚、洗浄装置３８は前記のような自走型以外に、仮想線で示すように、沈澱池底で進退自在な汚泥掻寄装置に連動する支柱４５により往復運動するようにしてもよい。ブラシ４３は手動で往復運動させるようにしてもよい。
尚、仮想線で示すように、排水路部３６は外向きに折り曲げ状に形成してもよい。
【００１９】
【発明の効果】
この発明は以上のようであるので、水位変動に対応し得る構造であるとともに、清澄度の高い水を回収して河川等に放流することもできるようにした越流堰装置を提供することができる。
【図面の簡単な説明】
【図１】この発明の一実施形態を示す側断面図。
【図２】図１のＩＩ−ＩＩ線断面図。
【図３】他の実施形態を示す縦断面図。
【図４】他の実施形態を示す縦断面図。
【図５】他の実施形態を示す縦断面図。
【図６】他の実施形態を示す縦断面図。
【符号の説明】
２…排水連通管  ９，３６…排水路部  １０，３７…越流堰部  １１，３５…本体  ２１…水面  ２４…浄水化手段  ２３，２９…バッフル。
【図１】
0004158058.tif 000002
【図２】
0004158058.tif 000003
【図３】
0004158058.tif 000004
【図４】
0004158058.tif 000005
【図５】
0004158058.tif 000006
【図６】
0004158058.tif 000007